(57)【特許請求の範囲】
【請求項１】
内部が放射性物質で汚染された装置又は設備の解体方法であって、
解体作業用のグローブが設けられ底側が開口した解体用テントを、前記装置又は設備に被せ、前記解体用テントの開口縁部の全周を、前記装置又は設備に接合することにより、前記解体用テント内に密封空間を形成する工程と、
前記グローブを用いて、前記装置又は設備の前記密封空間に収納された部分を解体し、解体物を前記密封空間に連通された放射性廃棄物用の収納容器に収納する工程と、
を備える解体方法。
【請求項２】
前記装置又は設備における解体されずに残った部位と前記解体用テントとを、解体作業用のグローブが設けられた第２の解体用テント内の密封空間に収納して解体する工程と、
解体物を収納した前記第２の解体用テントを撤去する工程と、
を備える請求項１に記載の解体方法。
【請求項３】
前記装置又は設備における解体されずに残った部位を持ち上げて、当該部位と前記装置又は設備が設置された面との間に、前記第２の解体用テントの底部を構成するテント底部を敷設する工程と、
前記第２の解体用テントの上部を構成し底側が開口したテント上部を、前記装置又は設備における解体されずに残った部位と、前記解体用テントとに被せる工程と、
前記テント上部の開口縁部の全周を、前記テント底部の周縁部に接合することにより、前記第２の解体用テント内に密封空間を形成する工程と、
を行うことにより、前記装置又は設備における解体されずに残った部位と前記解体用テントとを、前記第２の解体用テント内の前記密封空間に収納する請求項２に記載の解体方法。
【請求項４】
内部が放射性物質で汚染され架台上に設置された装置又は設備の解体方法であって、
解体作業用のグローブが設けられ底側が開口した解体用テントを、前記装置又は設備に被せ、前記解体用テントの開口縁部の全周を、前記架台に接合することにより、前記解体用テント内に密封空間を形成する工程と、
前記グローブを用いて、前記密封空間に収納された前記装置又は設備を解体し、解体物を前記密封空間に連通された放射性廃棄物用の収納容器に収納する工程と、
を備える解体方法。
【請求項５】
前記架台と前記解体用テントとを、解体作業用のグローブが設けられた第２の解体用テント内の密封空間に収納して解体する工程と、
解体物を収納した前記第２の解体用テントを撤去する工程と、
を備える請求項４に記載の解体方法。
【請求項６】
前記架台を持ち上げて、前記架台とその設置面との間に、前記第２の解体用テントの底部を構成するテント底部を敷設する工程と、
前記第２の解体用テントの上部を構成し底側が開口したテント上部を、前記架台と、前記解体用テントとに被せる工程と、
前記テント上部の開口縁部の全周を、前記テント底部の周縁部に接合することにより、前記第２の解体用テント内に密封空間を形成する工程と、
を行うことにより、前記架台と前記解体用テントとを、前記第２の解体用テント内の前記密封空間に収納する請求項５に記載の解体方法。
【発明の詳細な説明】
【技術分野】
【０００１】
本発明は、内部が放射性物質で汚染された装置又は設備の解体方法に関する。
【背景技術】
【０００２】
有害有機物収納容器を包み込こんで密閉することができ、外部からの手作業用のグローブが設けられたグローブバッグが知られている（例えば、特許文献１参照）。当該グローブバッグは、柔軟性シートにより形成されており、外部からの押圧力により変形するので、かかるグローブバッグを用いることで、有害有機物を外部に露出させることなく、当該有害有機物を手作業で処理することができる。
【先行技術文献】
【特許文献】
【０００３】
【特許文献１】特開２００３−２００１４８号公報
【発明の概要】
【発明が解決しようとする課題】
【０００４】
ところで、放射性汚染物を処理する場合に用いられるグローブボックスが知られている。このような放射性汚染物処理用のグローブボックスは内部が放射性物質で汚染されているため、当該グローブボックスの解体は、放射性物質の漏洩を防ぐべく密封空間に収納して行う必要がある。ここで、特許文献１に記載されるようなグローブバッグ内の密封空間に解体対象のグローブボックスを収納することで、作業者は、密封空間の外部からグローブボックスを解体できる。
【０００５】
ここで、解体対象のグローブボックスが、製造されてから相当の年月が経過しているものである場合、グローブボックス内部の密封性を維持するためのゴム製のガスケット等のシール部材が老朽化している。このような場合、老朽化したシール部材に変形させようとする力が加わると、グローブボックス内部の密封性を維持できなくなる恐れがあることから、グローブボックスを持ち上げて移動させることが困難である。また、グローブボックスの重量が過大だったり、グローブボックスの搬出経路を確保できなかったりする場合等も、グローブボックスを持ち上げて移動させることが困難である。
【０００６】
本発明は、このような事情に鑑みてなされたものであり、その課題は、内部が放射性物質で汚染された装置又は設備を、当該装置又は設備が設置された場所において、放射性物質を漏洩させることなく解体することにある。
【課題を解決するための手段】
【０００７】
上記課題を解決するため、本発明に係る解体方法は、内部が放射性物質で汚染された装置又は設備の解体方法であって、解体作業用のグローブが設けられ底側が開口した解体用テントを、前記装置又は設備に被せ、前記解体用テントの開口縁部の全周を、前記装置又は設備に接合することにより、前記解体用テント内に密封空間を形成する工程と、前記グローブを用いて、前記装置又は設備の前記密封空間に収納された部分を解体し、解体物を前記密封空間に連通された放射性廃棄物用の収納容器に収納する工程と、を備える。
【０００８】
上記解体方法は、前記装置又は設備における解体されずに残った部位と前記解体用テントとを、解体作業用のグローブが設けられた第２の解体用テント内の密封空間に収納して解体する工程と、解体物を収納した前記第２の解体用テントを撤去する工程と、を備えてもよい。
【０００９】
上記解体方法は、前記装置又は設備における解体されずに残った部位を持ち上げて、当該部位と前記装置又は設備が設置された面との間に、前記第２の解体用テントの底部を構成するテント底部を敷設する工程と、前記第２の解体用テントの上部を構成し底側が開口したテント上部を、前記装置又は設備における解体されずに残った部位と、前記解体用テントとに被せる工程と、前記テント上部の開口縁部の全周を、前記テント底部の周縁部に接合することにより、前記第２の解体用テント内に密封空間を形成する工程と、を行うことにより、前記装置又は設備における解体されずに残った部位と前記解体用テントとを、前記第２の解体用テント内の前記密封空間に収納してもよい。
【００１０】
上記課題を解決するために、本発明に係る解体方法は、内部が放射性物質で汚染され架台上に設置された装置又は設備の解体方法であって、解体作業用のグローブが設けられ底側が開口した解体用テントを、前記装置又は設備に被せ、前記解体用テントの開口縁部の全周を、前記架台に接合することにより、前記解体用テント内に密封空間を形成する工程と、前記グローブを用いて、前記密封空間に収納された前記装置又は設備を解体し、解体物を前記密封空間に連通された放射性廃棄物用の収納容器に収納する工程と、を備える。
【００１１】
上記解体方法は、前記架台と前記解体用テントとを、解体作業用のグローブが設けられた第２の解体用テント内の密封空間に収納して解体する工程と、解体物を収納した前記第２の解体用テントを撤去する工程と、を備えてもよい。
【００１２】
上記解体方法は、前記架台を持ち上げて、前記架台とその設置面との間に、前記第２の解体用テントの底部を構成するテント底部を敷設する工程と、前記第２の解体用テントの上部を構成し底側が開口したテント上部を、前記架台と、前記解体用テントとに被せる工程と、前記テント上部の開口縁部の全周を、前記テント底部の周縁部に接合することにより、前記第２の解体用テント内に密封空間を形成する工程と、を行うことにより、前記架台と前記解体用テントとを、前記第２の解体用テント内の前記密封空間に収納してもよい。
【発明の効果】
【００１３】
本発明によれば、内部が放射性物質で汚染された装置又は設備を、当該装置又は設備が設置された場所において、放射性物質を漏洩させることなく解体することができる。
【図面の簡単な説明】
【００１４】
【図１】一実施形態に係るグローブボックス解体装置を示す正面断面図である。
【図２】一実施形態に係るグローブボックス解体装置を示す側面断面図である。
【図３】一実施形態に係るグローブボックスの解体方法を説明するための側断面図である。
【図４】一実施形態に係るグローブボックスの解体方法を説明するための側断面図である。
【図５】一実施形態に係るグローブボックスの解体方法を説明するための側断面図である。
【図６】一実施形態に係るグローブボックスの解体方法を説明するための側断面図である。
【図７】一実施形態に係るグローブボックスの解体方法を説明するための側断面図である。
【図８】一実施形態に係るグローブボックスの解体方法を説明するための側断面図である。
【図９】一実施形態に係るグローブボックスの解体方法を説明するための側断面図である。
【図１０】一実施形態に係るグローブボックスの解体方法を説明するための側断面図である。
【図１１】一実施形態に係るグローブボックスの解体方法を説明するための側断面図である。
【図１２】他の実施形態に係るグローブボックスの解体方法を説明するための側断面図である。
【図１３】他の実施形態に係るグローブボックスの解体方法を説明するための側断面図である。
【図１４】他の実施形態に係るグローブボックスの解体方法を説明するための側断面図である。
【図１５】他の実施形態に係るグローブボックスの解体方法を説明するための側断面図である。
【図１６】他の実施形態に係るグローブボックスの解体方法を説明するための側断面図である。
【図１７】他の実施形態に係るグローブボックスの解体方法を説明するための側断面図である。
【図１８】他の実施形態に係るグローブボックスの解体方法を説明するための側断面図である。
【図１９】他の実施形態に係るグローブボックスの解体方法を説明するための側断面図である。
【図２０】他の実施形態に係るグローブボックスの解体方法を説明するための側断面図である。
【図２１】他の実施形態に係るグローブボックスの解体方法を説明するための側断面図である。
【図２２】第１の参考例に係るグローブボックスの解体方法を説明するための側断面図である。
【図２３】第１の参考例に係るグローブボックスの解体方法を説明するための側断面図である。
【図２４】第１の参考例に係るグローブボックスの解体方法を説明するための側断面図である。
【図２５】第１の参考例に係るグローブボックスの解体方法を説明するための側断面図である。
【図２６】第１の参考例に係るグローブボックスの解体方法を説明するための側断面図である。
【図２７】第２の参考例に係るグローブボックスの解体方法を説明するための側断面図である。
【図２８】第２の参考例に係るグローブボックスの解体方法を説明するための側断面図である。
【図２９】第２の参考例に係るグローブボックスの解体方法を説明するための側断面図である。
【図３０】第２の参考例に係るグローブボックスの解体方法を説明するための側断面図である。
【発明を実施するための形態】
【００１５】
以下、本発明の一実施形態を、図面を参照しながら説明する。図１は、一実施形態に係るグローブボックス解体装置１０を示す正面断面図であり、図２は、当該グローブボックス解体装置１０を示す側面断面図である。この図に示すように、グローブボックス解体装置１０は、支持フレーム３０と、支持フレーム３０に支持されると共に解体対象のグローブボックス２０を収容するテント４０と、テント４０に収容された、グローブボックス２０の解体に用いられるニブラーやソー等の解体工具５０とを備えている。
【００１６】
グローブボックス２０は、ステンレス等の金属製の底部２２と、底部２２に下端を接合された樹脂製で透明の上部２４とを備えており、床面１２上に設置されている。底部２２は、長方形状の板材であり、その周縁２２Ａは、上側に湾曲している。上部２４は、下端が開口した直方体状の筐体であり、その下端の開口縁部の全周が底部２２の周縁２２Ａに、ゴム製のガスケット等のシール部材を介して密封状態で接合されている。グローブボックス２０の内部は、密封空間となっており、放射性物質により汚染された機器１１が収容されている。
【００１７】
また、グローブボックス２０の上部２４の側面には、複数のグローブ２６が、縦方向及び横方向に所定間隔おきに配されている。各グローブ２６は、上部２４の側面と一体に形成されグローブボックス２０の内部に延びる筒状部材であり、該筒状部材の先端は手を模した形状をしている。作業者は、グローブ２６に腕を挿入してグローブボックス２０内での作業を行うことができる。
【００１８】
支持フレーム３０は、グローブボックス２０が設置された床面１２の上に設置された直方体状の枠体であり、底部２２の四隅の近傍から立設された縦枠３２とグローブボックス２０の上側に上部２４の上面の各辺に沿って設けられ、隣り合う縦枠３２の上端同士を連結する横枠３４とを有する。なお、横枠３４は、上部２４の上面の各短辺に沿って２本、各長辺に沿って２本の合計４本設けられている。そして、４本の横枠３４のそれぞれが、個別に取り外し可能な状態に取り付けられている。
【００１９】
テント４０は、下端が開口した直方体状の中空体であり、繊維強化ビニールシート等の気密性の高い素材で形成され、また、テント４０の下端の開口縁部の全周は、底部２２の周縁２２Ａの外周側に接着テープ４２により密封状態で接合されている。これにより、テント４０と底部２２とによる密封空間４１が形成されている。
【００２０】
また、テント４０は、柔軟な素材で形成されていることにより押し潰して畳むことができる。さらに、テント４０は、透明又は半透明の素材で形成されていることにより、その内部が視認可能となっている。
【００２１】
また、テント４０の側面には、複数のグローブ４４が、縦方向及び横方向に所定間隔おきに配されている。各グローブ４４は、テント４０の側面と一体に形成されテント４０の内部に延びる筒状部材であり、該筒状部材の先端は手を模した形状をしている。作業者は、グローブ４４に腕を挿入してテント４０内での作業を行うことができる。
【００２２】
また、テント４０の側部は、紐４６により支持フレーム３０の縦枠３２に係止されている。また、テント４０の上部は、紐４６により支持フレーム３０の横枠３４に係止されている。
【００２３】
また、テント４０の上面には、ＨＥＰＡフィルタを介して換気装置５２が取り付けられている。この換気装置５２は、密封空間４１から排気することにより密封空間４１を大気圧よりも低い気圧に維持する。さらに、テント４０における長辺側の側面には、連通チューブ５４を介してドラム缶５６が接続されている。なお、連通チューブ５４は、管の中間部で切断すると共に切断部を溶着して密封することができる素材で形成されている。
【００２４】
図３から図１１までは、本実施形態に係るグローブボックス２０の解体方法を説明するための側断面図である。図３に示すように、解体対象のグローブボックス２０は、床面１２上に設置されている。
【００２５】
本解体方法では、まず、図４に示すように、テント４０を、グローブボックス２０に被せる。この際、テント４０の内部に解体工具５０を収納しておく。なお、後の工程で、テント４０の下端をグローブボックス２０の底部２２の周縁２２Ａに接合することから、解体工具５０は、床面１２上に置くのではなく、グローブボックス２０の側面にフック１８により掛けておく。
【００２６】
次に、支持フレーム３０を床面１２上に設置する。そして、テント４０の上部を紐４６により支持フレーム３０の横枠３４に係止し、テント４０の側部を紐４６により支持フレーム３０の縦枠３２に係止する。また、テント４０の上面に、ＨＥＰＡフィルタを介して換気装置５２を取り付ける。また、テント４０における長辺側の側面に、連通チューブ５４を介してドラム缶５６を接続する。
【００２７】
次に、図５に示すように、テント４０の下端の開口縁部の全周を、グローブボックス２０の底部２２における上側に湾曲した周縁２２Ａの外周側に、接着テープ４２により接合する。これにより、テント４０と底部２２とにより、密封空間４１が形成され、その密封空間４１に、グローブボックス２０と解体工具５０とが収納される。
【００２８】
次に、図６に示すように、グローブボックス２０の上部２４を、テント４０内に収納しておいた解体工具５０により解体する。即ち、グローブボックス２０を、底部２２を残して解体する。この解体作業では、作業者が、グローブ４４に腕を入れた状態で解体工具５０を操作して、グローブボックス２０の上部２４を切断又は圧搾すること等により解体する。そして、解体物を、連通チューブ５４を通してドラム缶５６に排出する。
【００２９】
次に、図７に示すように、密封空間４１内に残った機器１１を、解体工具５０により解体する。そして、解体物を、連通チューブ５４を通してドラム缶５６に排出する。これにより、密封空間４１内には解体工具５０のみが残る。その後、連通チューブ５４を切断すると共に、その切断口を加圧加熱することにより溶着させて密封する。また、換気装置５２をテント４０の上面から取り外す。
【００３０】
次に、図８及び図９に示すように、テント４０を支持フレーム３０から取り外して縮小させ、このテント４０及び底部２２を収納するテント６０を設営する。まずは、図８に示すように、上部２４が解体されて軽くなったグローブボックス２０の底部２２を持ち上げて床面１２から浮かし、底部２２と床面１２との間に、テント６０の底部を構成するテントシート６２を敷設する。そして、底部２２をテントシート６２の上に降下させる。
【００３１】
次に、図９に示すように、テント６０の上面及び側面を構成するテント上部６４を、テント４０に被せる。テント上部６４の側面にはグローブ４４と同様の構成の複数のグローブ６６が設けられている。次に、支持フレーム３０を撤去して、支持フレーム３０の縦枠３２よりも短い縦枠７２を有する支持フレーム７０を設置する。そして、テント上部６４の上部を紐４６により支持フレーム７０の横枠７４に係止し、テント上部６４の側部を紐４６により支持フレーム７０の縦枠７２に係止する。そして、テント上部６４の下端とテントシート６２の周縁とを溶着する。これにより、密封空間６１が形成され、その密封空間６１に、テント４０、底部２２及び解体工具５０が収納される。
【００３２】
次に、図１０に示すように、密封空間６１内に収納された底部２２及びテント４０を、解体工具５０により解体する。この解体作業では、作業者が、グローブ６６に腕を入れた状態でテント４０を切断してその中から解体工具５０を取り出す。そして、当該状態で解体工具５０を操作して、底部２２及びテント４０を切断又は圧搾すること等により解体する。
【００３３】
最後に、図１１に示すように、テント６０を、押し潰して畳むことにより減容して、その内部の解体物と共に放射性廃棄物として廃棄する。また、支持フレーム７０を撤去する。この支持フレーム７０、及びテント４０を設営するのに用いた支持フレーム３０は、再利用できる。
【００３４】
また、畳まれて減容されたテント６０内に残る解体工具５０も再利用できる。解体工具５０を再利用する際には、解体工具５０を、畳まれて減容されたテント６０内に密封されたままの状態で、テント４０と底部２２とにより形成される密封空間４１内に収納する。そして、テント６０を破って解体工具５０をテント６０から取り出す。これにより、解体工具５０を再利用してグローブボックス２０の上部２４等を解体することができる。
【００３５】
以上、説明したように、本実施形態に係る解体方法では、グローブボックス２０の底部２２にテント４０の開口縁部の全周を接合することにより、グローブボックス２０の上部２４を収納する密封空間４１を形成する。これにより、グローブボックス２０を、設置されていた床面１２上から持ち上げたり移動させたりすることなく、その上部２４を密封空間４１内で解体してドラム缶５６に排出できる。
【００３６】
ここで、グローブボックス２０が底部２２のみを残して解体され、且つ、放射性物質で汚染された底部２２の上面は、底部２２とテント４０とにより形成された密封空間４１に封じ込められている。このため、放射性物質を漏洩させることなく、底部２０とテント４０とを持ち上げることができる。そして、底部２０とテント４０とを持ち上げた状態で、その下にテントシート６２を敷設し、該テントシート６２とテント上部６４とで構成されるテント６０を形成することが可能であり、その内部の密封空間６１で、底部２０とテント４０とを解体することが可能である。
【００３７】
従って、本実施形態に係る解体方法によれば、内部が放射性物質で汚染されたグローブボックス２０を、当該グローブボックス２０が設置された床面１２上で、放射性物質を漏洩させることなく解体することができる。
【００３８】
また、本実施形態に係る解体方法では、底部２０とテント４０とを持ち上げてその下にテントシート６２を敷設し、該テントシート６２とテント上部６４とで構成されるテント６０を形成し、その内部の密封空間６１で、底部２０とテント４０とを解体する。これにより、底部２２を含むグローブボックス２０の全体を、放射性物質を漏洩させることなく、解体できる。
【００３９】
なお、本実施形態では、底部２０とテント４０とを、グローブボックス２０が設置されていた場所に設営したテント６０の内部の密封空間６１で解体した。しかし、グローブボックス２０を減容、軽量化してなる底部２２を、テント４０と共に、グローブボックス２０の設置場所から撤去し、放射性廃棄物として廃棄することも可能である。この場合には、図９から図１１に示すテント６０を設営してから撤去するまでの工程が不要となる。
【００４０】
図１２から図１５は、他の実施形態に係るグローブボックス２０の解体方法を説明するための側断面図である。図１２に示すように、解体対象のグローブボックス２０は、架台１４の台板１４Ａ上に固定されている。
【００４１】
図１３及び図１４までに示すように、本解体方法では、上述の実施形態に係る解体方法と同様に、テント４０と底部２２とにより形成される密封空間４１内にグローブボックス２０を収納し、グローブボックス２０を底部２２だけを残して解体する。
【００４２】
次に、テント４０及び底部２２を覆うテント６０（図９参照）を設営する。まずは、図１５に示すように、底部２２を、架台１４との固定を解除した後に、ジャッキ１６により持ち上げて架台１４の上面から浮かし、架台１４を撤去する。次は、底部２２と床面１２との間に、テントシート６２を敷設する。そして、ジャッキ１６により、底部２２をテントシート６２の上に降下させる。以降は、図９から図１１に示す上述の実施形態に係る解体方法と同様の方法により、テント６０により形成される密封空間６１内に底部２２及びテント４０を収納して、底部２２及びテント４０を解体し、最後に、テント６０を、押し潰して畳むことにより減容して放射性廃棄物として廃棄する。また、支持フレーム７０を撤去する。
【００４３】
以上、説明したように、本実施形態に係る解体方法では、上述の実施形態と同様、グローブボックス２０の底部２２にテント４０の開口縁部の全周を接合することにより、グローブボックス２０の上部２４を収納する密封空間４１を形成する。これにより、グローブボックス２０を、設置されていた架台１４から持ち上げたり移動させたりすることなく、密封空間４１内でグローブボックス２０の上部を解体してドラム缶５６に排出できる。
【００４４】
従って、本実施形態に係る解体方法によれば、内部が放射性物質で汚染されたグローブボックス２０を、当該グローブボックス２０が設置された架台１４上で、放射性物質を漏洩させることなく解体することができる。
【００４５】
また、本実施形態に係る解体方法では、上述の実施形態と同様、底部２０とテント４０とを持ち上げてその下にテントシート６２を敷設し、該テントシート６２とテント上部６４とで構成されるテント６０を形成し、その内部の密封空間６１で、底部２０とテント４０とを解体する。これにより、底部２２を含むグローブボックス２０の全体を、放射性物質を漏洩させることなく、解体できる。
【００４６】
なお、本実施形態に係る解体方法では、テント６０を設営する前に架台１４を撤去したが必須ではなく、架台１４の上にテント６０を設営してもよい。
【００４７】
図１６から図２１までは、他の実施形態に係るグローブボックス２０の解体方法を説明するための側断面図である。図１６に示すように、解体対象のグローブボックス２０は、架台１４上に固定されている。本解体方法では、まず、テント４０を、グローブボックス２０に被せる。この際、解体工具５０を、グローブボックス２０の側面に掛けておく。
【００４８】
次に、支持フレーム３０を床面１２上に設置する。そして、テント４０の上部を紐４６により支持フレーム３０の横枠３４に係止し、テント４０の側部を紐４６により支持フレーム３０の縦枠３２に係止する。また、テント４０の上面に、ＨＥＰＡフィルタを介して換気装置５２を取り付ける。また、テント４０における長辺側の側面に、連通チューブ５４を介してドラム缶５６を接続する。
【００４９】
次に、図１７に示すように、テント４０の下端の開口縁部の全周を、架台１４の台板１４Ａの外周に、接着テープ４２により接合する。これにより、テント４０と台板１４Ａとにより、密封空間４１が形成され、その密封空間４１に、グローブボックス２０と解体工具５０とが収納される。
【００５０】
次に、図１８に示すように、グローブボックス２０の上部２４を、テント４０内に収納しておいた解体工具５０により解体する。即ち、グローブボックス２０を、底部２２を残して解体する。ここで、底部２２を残すのは、底部２２が台板１４Ａに固定されており、後に架台１４と共に解体するからである。そして、解体物を、連通チューブ５４を通してドラム缶５６に排出する。また、密封空間４１内に残った機器１１を、解体工具５０により解体する。そして、解体物を、連通チューブ５４を通してドラム缶５６に排出する。その後、連通チューブ５４を切断すると共に、その切断口を加圧加熱することにより溶着させて密封する。これにより、密封空間４１内には底部２２と解体工具５０とのみが残る。
【００５１】
次に、図１９及び図２０に示すように、架台１４及びテント４０を収納するテント６０を設営する。まずは、図１９に示すように、架台１４を、ジャッキ１６により持ち上げて床面１２の上面から浮かす。次は、架台１４の脚部１４Ｂと床面１２との間に、テントシート６２を敷設する。そして、ジャッキ１６により、架台１４をテントシート６２の上に降下させる。
【００５２】
次に、図２０に示すように、テント上部６４をテント４０及び架台１４に被せ、テント上部６４の開口縁部の全周をテントシート６２の周縁に接合する。これにより、密封空間６１が形成され、この密封空間６１に、架台１４、底部２２及びテント４０が収納される。
【００５３】
次に、図２１に示すように、架台１４、底部２２及びテント４０を、解体工具５０を用いて解体し、最後に、テント６０を、押し潰して畳むことにより減容して、内部の解体物と共に放射性廃棄物として廃棄する。また、支持フレーム７０を撤去する。
【００５４】
以上、説明したように、本実施形態に係る解体方法では、架台１４の台板１４Ａの外周にテント４０の開口縁部の全周を接合することにより、グローブボックス２０を収納する密封空間４１を形成する。これにより、グローブボックス２０を、設置されていた架台１４から持ち上げたり移動させたりすることなく、密封空間４１内で解体してドラム缶５６に排出できる。
【００５５】
ここで、グローブボックス２０全体が解体されて廃棄され、且つ、放射性物質で汚染された架台１４の台板１４Ａの上面が、架台１４の台板１４Ａとテント４０とにより形成された密封空間４１に封じ込められている。このため、放射性物質を漏洩させることなく、架台１４とテント４０とを持ち上げることができる。そして、架台１４とテント４０とを持ち上げてその下にテントシート６２を敷設し、該テントシート６２とテント上部６４とで構成されるテント６０を形成することが可能であり、その内部の密封空間６１で、架台１４とテント４０とを解体することが可能である。
【００５６】
従って、本実施形態に係る解体方法によれば、内部が放射性物質で汚染されたグローブボックス２０を、当該グローブボックス２０が設置された架台１４上で、放射性物質を漏洩させることなく解体することができる。
【００５７】
また、本実施形態に係る解体方法では、架台１４とテント４０とを持ち上げてその下にテントシート６２を敷設し、該テントシート６２とテント上部６４とで構成されるテント６０を形成し、その内部の密封空間６１で、架台１４とテント４０とを解体する。これにより、グローブボックス２０を解体する際に放射性物質により汚染された架台１４の台板１４Ａを、放射性物質を漏洩させることなく、解体できる。
【００５８】
なお、本実施形態では、架台１４とテント４０とを、グローブボックス２０が設置されていた場所に設営したテント６０の内部の密封空間６１で解体した。しかし、架台１４を、テント４０と共に、グローブボックス２０の設置場所から撤去し、放射性廃棄物として廃棄することも可能である。この場合には、図２０及び図２１に示すテント６０を設営してから撤去するまでの工程が不要となる。
【００５９】
なお、上記の各実施形態において、テント４０の内面に放射性物質の拡散防止用の塗料を塗布し、テント４０の内面に付着した放射性物質をテント４０の内部に固定してもよい。当該作業により、放射性物質の漏洩防止の効果を向上できる。
【００６０】
図２２から図２６までは、第１の参考例に係るグローブボックス２０の解体方法を説明するための側断面図である。図２２に示すように、本解体方法では、まず、床面１２上に設置されたグロースボックス２０にテント４０を被せると共に、テント４０内に解体工具５０ならびに後述のペイント作業の際に使用する塗料等を収納する。また、床面１２上に支持フレーム３０を設置する。
【００６１】
また、テント４０の開口縁部の全周を床面１２に接着テープ等により密封状態で接合する。これにより、テント４０と床面１２とにより、密封空間４１が形成され、その密封空間４１に、グローブボックス２０と解体工具５０と上述の塗料等とが収納される。また、テント４０の上面に、ＨＥＰＡフィルタを介して換気装置５２を取り付ける。また、テント４０における長辺側の側面に、連通チューブ５４を介してドラム缶５６を接続する。
【００６２】
次に、図２３に示すように、グローブボックス２０の上部２４を、テント４０内に収納しておいた解体工具５０により解体して、解体物を、連通チューブ５４を通してドラム缶５６に排出する。
【００６３】
次に、密封空間４１内に残った機器１１及び底部２２を、解体工具５０により解体して、解体物を、連通チューブ５４を通してドラム缶５６に排出する。その後、連通チューブ５４を切断すると共に、その切断口を加圧加熱することにより溶着させて密封する。これにより、密封空間４１内には解体工具５０と上述の塗料等とが残る。
【００６４】
次に、図２４に示すように、テント４０の内面と床面１２とに、放射性物質の拡散防止用の塗料を塗布することにより、テント４０の内面と床面１２とに付着した放射性物質を固定する。
【００６５】
次に、図２５に示すように、テント４０を、押し潰して畳むことにより減容して放射性廃棄物として廃棄する。また、支持フレーム８０を撤去する。
【００６６】
最後に、図２６に示すように、床面１２に塗布された塗料１３を剥離除去することにより、床面１２に固定された放射性物質を除去する。
【００６７】
以上、説明したように、第１の参考例に係る解体方法では、床面１２にテント４０の開口縁部の全周を接合することにより、グローブボックス２０を収納する密封空間４１を形成する。これにより、グローブボックス２０を、設置されていた床面１２から持ち上げたり移動させたりすることなく、密封空間４１内で解体してドラム缶５６に排出できる。
【００６８】
ここで、第１の参考例に係る解体方法では、グローブボックス２０の解体の際に、床面１２に放射性物質が付着する。また、テント４０の下端が床面１２に接合されていることから、テント４０を撤去する際に、テント４０内部の密封が解かれる。このため、グローブボックス２０を解体してからテント４０を撤去する前に、放射性物質の拡散防止用の塗料を床面１２とテント４０内部に塗布するペイント作業が必要となる。また、テント４０を撤去した後に、床面１２に塗布された塗料１３を剥離除去する作業が必要となる。
【００６９】
これに対して、上述の３つの実施形態に係る解体方法によれば、グローブボックス２０の解体の際に、床面１２に放射性物質が付着せず、また、テント４０の下端がグローブボックス２０の底部や架台１４の台板１４Ａに接合されていることから、テント４０を撤去する際に、テント４０の内部の密封が解かれることもない。このため、グローブボックス２０を解体してからテント４０を撤去する前における、上述のペイント作業は、必須とはならず、また、テント４０を撤去した後における、上述の塗料１３の剥離除去作業が生じない。
【００７０】
図２７から図３０までは、第２の参考例に係るグローブボックス２０の解体方法を説明するための側断面図である。図２７に示すように、本解体方法では、架台１４とその上に固定されたグローブボックス２０との固定を解除し、該グローブボックス２０をジャッキ１６により持ち上げて架台１４から浮かせる。
【００７１】
そして、架台１４を撤去して、グローブボックス２０と床面１２との間に、テントシート６２を敷設する。その後、ジャッキ１６により、グローブボックス２０をテントシート６２の上に降下させる。
【００７２】
次に、図２８に示すように、テント６０により形成される密封空間６１内にグローブボックス２０を収納し、図２９に示すように、グローブボックス２０及びその内部に収納された機器１１を解体する。最後に、図３０に示すように、テント６０を、押し潰して畳むことにより減容して放射性廃棄物として廃棄する。また、支持フレーム７０を撤去する。
【００７３】
以上、説明したように、第２の参考例に係る解体方法では、グローブボックス２０を持ち上げてグローブボックス２０と床面１２との間にテントシート６２を敷設し、テント上部６４をグローブボックス２０に被せて、テント上部６４とテントシート６２とを接合することにより、グローブボックス２０を収納する密封空間６１を形成する。これにより、グローブボックス２０を、密封空間４１内で解体してドラム缶５６に排出できる。
【００７４】
ここで、当該解体方法では、グローブボックス２０を収納するテント６０を設営する前に、解体対象のグローブボックス２０を、架台１４上で持ち上げる作業を要する。これに対して、上述の３つの実施形態に係る解体方法によれば、グローブボックス２０を収納するテント４０を、グローブボックス２０を床面１２や架台１４上から持ち上げることなく、設営できる。
【００７５】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、次のように構成してもよい。
【００７６】
上述の実施形態では、グローブボックス２０の上部又は全体を解体した後に、グローブボックス２０の底部２２又は架台１４を、その場所でテント６０に収納して解体したが必須ではなく、底部２２又は架台１４はテント４０と共にそのまま廃棄してもよく、その他の場所へ移動してテントに収納して解体してもよい。
【００７７】
また、上述の実施形態では、テント４０の開口縁部の全周を、グローブボックス２０の底部２２に接合したが必須ではなく、底部２２よりも上側に接合してもよい。また、上述の実施形態では、接着テープ４２を用いて、テント４０の下端とグローブボックス２０の底部２２又は架台１４の台板１４Ａとを接合したが、接着剤を用いて接合してもよい。
【００７８】
さらに、上述の実施形態では、汚染グローブボックスを解体する場合について説明したが、本発明はこれに限らず、汚染グローブボックス以外の、内部が放射性物質により汚染された他の装置又は設備を解体する場合にも適用できる。
【符号の説明】
【００７９】
１０  グローブボックス解体装置、１１  機器、１２  床面、１４  架台、１４Ａ  台板、１４Ｂ  脚部、１６  ジャッキ、１８  フック、２０  グローブボックス（内部が放射性物質で汚染された装置又は設備）、２２  底部（解体されずに残った部位）、２２Ａ  周縁、２４  上部、３０  支持フレーム、３２  縦枠、３４  横枠、４０  テント（解体用テント）、４１  密封空間、４２  接着テープ、４４  グローブ、４６  紐、５０  解体工具、５２  換気装置、５４  連通チューブ、５６  ドラム缶（収納容器）、６０  テント（第２の解体用テント）、６１  密封空間、６２  テントシート（テント底部）、６４  テント上部、６６  グローブ、７０  支持フレーム、７２  縦枠、７４  横枠
【図１】
0005482509.tif 000002
【図２】
0005482509.tif 000003
【図３】
0005482509.tif 000004
【図４】
0005482509.tif 000005
【図５】
0005482509.tif 000006
【図６】
0005482509.tif 000007
【図７】
0005482509.tif 000008
【図８】
0005482509.tif 000009
【図９】
0005482509.tif 000010
【図１０】
0005482509.tif 000011
【図１１】
0005482509.tif 000012
【図１２】
0005482509.tif 000013
【図１３】
0005482509.tif 000014
【図１４】
0005482509.tif 000015
【図１５】
0005482509.tif 000016
【図１６】
0005482509.tif 000017
【図１７】
0005482509.tif 000018
【図１８】
0005482509.tif 000019
【図１９】
0005482509.tif 000020
【図２０】
0005482509.tif 000021
【図２１】
0005482509.tif 000022
【図２２】
0005482509.tif 000023
【図２３】
0005482509.tif 000024
【図２４】
0005482509.tif 000025
【図２５】
0005482509.tif 000026
【図２６】
0005482509.tif 000027
【図２７】
0005482509.tif 000028
【図２８】
0005482509.tif 000029
【図２９】
0005482509.tif 000030
【図３０】
0005482509.tif 000031